(57)【要約】【課題】外部から出力される二種類の信号がヘッドフォンアンプへ供給され、ヘッドフォンアンプに備えられた二つのボリュームで前記二つの信号を夫々調整する場合において、二種類の信号が入れ替わって供給されたとき、前記二つのボリュームの位置関係も夫々入れ替わることから、使用者の混乱を招く。【解決手段】ヘッドフォンアンプに備えられた外部から出力された二種類の信号を入力するための二つの入力端子と、ヘッドフォンアンプに備えられた外部から出力された二種類の信号を夫々調整する二つのボリュームとをつなぐ信号路との間に、前記ヘッドフォンアンプに供給された前記二種類の信号を簡単に切り替えることができるスイッチ部を設けることで使用者の混乱を未然に防ぐ。【選択図】      図１
2004312296.tif 000002
【特許請求の範囲】
【請求項１】
外部から出力される二種類の信号を夫々供給するための一方の外部信号路及び他方の外部信号路が夫々接続される一方の入力端子及び他方の入力端子と、前記一方及び他方の入力端子に夫々接続される一方の内部信号路及び他方の内部信号路と、これら一方及び他方の内部信号路に夫々接続された、ヘッドフォンの音量調整用の一方のボリューム及び他方のボリュームと、を備えたヘッドフォンアンプにおいて、
一方の入力端子を一方のボリュームに接続し且つ他方の入力端子を他方のボリュームに接続する第１の接続状態と、一方の入力端子を他方のボリュームに接続し且つ他方の入力端子を一方のボリュームに接続する第２の接続状態と、の間で切り替えるスイッチ部と、
前記一方及び他方の内部信号路からヘッドフォン以外の外部機器に出力を取り出すための出力端子と、を備えたことを特徴とするヘッドフォンアンプ。
【請求項２】
前記一方の信号路及び他方の信号路は、ステレオプラグにより夫々一方の入力端子及び他方の入力端子に接続されることを特徴とする請求項１記載のヘッドフォンアンプ。
【請求項３】
前記二種類の信号は夫々予め録音された音源の音声信号及び同期信号であり、前記出力端子は、音声信号を出力するためのものであることを特徴とする請求項１または２に記載のヘッドフォンアンプ。
【請求項４】
外部から出力される二種類の信号を夫々供給するための一方の外部信号路及び他方の外部信号路が夫々接続される一方の入力端子及び他方の入力端子と、前記一方及び他方の入力端子に夫々接続される一方の内部信号路及び他方の内部信号路と、これら一方及び他方の内部信号路に夫々接続された、ヘッドフォンの音量調整用のボリュームと、を備えたヘッドフォンアンプにおいて、
一方の内部信号路から分岐され、ヘッドフォン以外の外部機器に出力を取り出すための分岐信号路と、
前記分岐信号路に設けられ、バランス信号に変換するためのバランス信号変換部と、
前記バランス信号変換部が接続されている前記一方の内部信号路のインピーダンスとの間で、そのインピーダンスを揃えるために前記他方の内部信号路とアースとの間に接続されたインピーダンス調整用の抵抗成分と、を備えたことを特徴とするヘッドフォンアンプ。
【発明の詳細な説明】
【０００１】
【発明の属する技術分野】
本発明は、オーディオ信号を増幅してヘッドフォンに出力するヘッドフォンアンプに関する。
【０００２】
【従来の技術】
近年、バンドのステージ演奏では予め録音された音源を演奏者が聴きながら演奏を行うことが多い。この場合、通常のヘッドフォン出力にヘッドフォンをつないだだけでは、生演奏中の楽器の音にマスキングされ、正確に音源を聴き取ることができないので、出力を大きくするためのヘッドフォンアンプが必要になる。
ここで図５において、従来のヘッドフォンアンプ４を用いて演奏を行った場合について簡単に説明する。二つのチャンネルを備えたステレオソース４０例えばＣＤ（コンパクトディスク）、ＭＤ（ミニディスク）などから同期信号（メトロオーム＝クリック音、以下クリック音という）と予め録音された演奏音の信号（以下演奏音という）とが出力される。この二つの信号は、二つのチャンネルのうち、どちらか一方のチャンネルから、例えばクリック音が、もう一方のチャンネルからは、例えば演奏音が夫々一方の信号路４１と他方の信号路４２を介してヘッドフォンアンプ４に備えられた一方の入力端子４３及び他方の入力端子４４へ夫々供給される。ここで図５中では例えば一方のチャンネルからは演奏音が、他方のチャンネルからはクリック音が出力されているものとする。なお、以下の説明では便宜上「一方」、「他方」を「Ｌ」、「Ｒ」で表示して記載するものとする。この二つの信号のうち、前記演奏音はＬ入力端子４３に接続されているＬ出力端子４５から配線４６を介してダイレクトボックス４７へと供給され、ダイレクトボックス４７で演奏音にノイズが入っても影響がないようにバランス信号へと変換される。ダイレクトボックス４７では、演奏音に対応する正側の音声信号とこの正側の音声信号を反転した負側の音声信号とを出力するように構成されており、正側の信号線、アース線、負側の信号線の３本の線が出力側に接続されている。このように音声信号をバランス信号として図示しないミキサーに送ることにより、ミキサー側では、正側、負側の信号の差分を取り出して、途中で混入したノイズをキャンセルできる。ミキサーへ送られた音声信号は、図示されないパワーアンプ及びモニターアンプを介してスピーカーから演奏音として出力される。
【０００３】
そして、通常はドラマーのカウントにより演奏がスタートすることから、ドラマーが演奏音と録音された音楽のクリック音とを聴いて同期を取ることが多い。即ちドラマーは、ヘッドフォンアンプ４に備えられているヘッドフォンＬ出力端子４８とヘッドフォンＲ出力端子４９とにヘッドフォン５０を接続することによって、ヘッドホン５０の一方側の出力部から演奏音を、他方側の出力部からクリック音を同時に聴くことができ、録音された音楽と同期演奏を行うことができる。この場合、演奏者は、ヘッドフォンアンプ４に備えられたＬボリュウム５１とＲボリュウム５２とで、Ｌチャンネル及びＲチャンネルからのオーディオ信号の出力レベルを夫々調整し、調整された信号は増幅回路５３を介してヘッドフォン５０に出力される。
【０００４】
また、その他に自己の演奏と他の演奏者が演奏する音を同時にヘッドフォンで聴きながらステージ演奏ができるヘッドフォンアンプもある（特許文献１）。
【０００５】
【特許文献１】
特開平１１−１５０７８３（請求項３）
【０００６】
【発明が解決しようとする課題】
しかしながら、演奏音及びクリック音がＬチャンネル及びＲチャンネルに対して逆に録音された音源が混入して、それを用いた場合には、ステレオソース４０においてＬチャンネル及びＲチャンネルから夫々演奏音及びクリック音が出力されるはずが、Ｌチャンネルからクリック音が、Ｒチャンネルから演奏音が夫々出力されるので、Ｌ入力端子４３にクリック音が入力されてダイレクトボックス４７を介してミキサに送られてしまう。Ｌ信号路４１及びＲ信号路４２は実際には一本のケーブル線内に収まっており、その先端はステレオフォンプラグとして構成されており、このステレオフォンプラグを、Ｌ入力端子４３及びＲ入力端子４４を備えたステレオフォンジャックに差し込まれるので、Ｌ信号路４１をＬ入力端子４３に、またＲ信号路４２をＲ入力端子４４につなぎ替えることはできない。
【０００７】
そのため、ヘッドフォンアンプ４とダイレクトボックス４７とをつなぐ配線４６をＬ出力端子４５からＲ出力端子５４へとつなぎ替えなければならない。ステージ演奏では、多くの演奏器具を使うため、その演奏器具同士をつなぐために多くの配線を使用しているのが現状である。二つのチャンネルを備えたステレオソース４０の二つの信号が入れ替わるたびにヘッドフォンアンプ４に備えられたＬ出力端子４５及びＲ出力端子５４のどちらか一方の出力端子と配線４６とをつなぎ変えるという動作は、演奏者にとってステージ上で混乱をきたす慮がある。
【０００８】
更に配線４６をＬ出力端子４５からＲ出力端子５４につなぎ替えたとしても、次のような問題が残る。即ち演奏音とクリック音とが予定通りに録音された音源を用いたときは、Ｒ入力端子４４から入力される演奏音の調整をＲボリューム５２で行うようにしているが、演奏音とクリック音とが逆に録音された場合には、Ｌ入力端子４３に演奏音が入力され、Ｒ入力端子４４にクリック音が入力されるので、演奏音の調整及びクリック音の調整は、今までとは逆に夫々Ｌボリューム５１及びＲボリューム５２により行わなければならない。つまり両者の音量を調整する二つのボリューム５１（５２）の位置関係が逆になってしまう。演奏者は演奏に集中しており、また演奏音及びクリック音の音量を調整するために楽器から手を放していられるタイミングは瞬時であることからボリュームの位置関係が逆になっていると、操作に迷いが生じ演奏者にとって大きなストレスになる。
【０００９】
また、現在市場で販売されている演奏教材用として演奏音と同期信号の二つの音源が録音されたＣＤにおいては、ステレオソース４０に備えられたＬチャンネル及びＲチャンネルから出力される二つの音源が、前記ＣＤを販売している会社間においてもまた同じ会社であっても統一されていないため、演奏時に上述と同様の操作が必要となる場合がある。また、特許文献１には、このような課題を解決する手法は記載されていない。
【００１０】
本発明はかかる事情に鑑みてなされたものであって、本発明の目的は、一方の入力端子に入力される信号と他方の入力端子に入力される信号のうちの例えば一方の信号を外部機器に取り出すにあたって、入力される二つの信号の関係が逆になったときに、容易に対応できるヘッドフォンアンプを供給することにある。
【００１１】
本発明の他の目的は、一方の入力端子に入力される信号と他方の入力端子に入力される信号のうちの一方の信号を外部機器に取り出すにあたって、ヘッドフォンから聴こえる音質を悪化させないヘッドフォンアンプを提供することにある。
【００１２】
【課題を解決するための手段】
本発明は、外部から出力される二種類の信号を夫々供給するための一方の外部信号路及び他方の外部信号路が夫々接続される一方の入力端子及び他方の入力端子と、前記一方及び他方の入力端子に夫々接続される一方の内部信号路及び他方の内部信号路と、これら一方及び他方の内部信号路に夫々接続された、ヘッドフォンの音量調整用の一方のボリューム及び他方のボリュームと、を備えたヘッドフォンアンプにおいて、
一方の入力端子を一方のボリュームに接続し且つ他方の入力端子を他方のボリュームに接続する第１の接続状態と、一方の入力端子を他方のボリュームに接続し且つ他方の入力端子を一方のボリュームに接続する第２の接続状態と、の間で切り替えるスイッチ部と、
前記一方及び他方の内部信号路からヘッドフォン以外の外部機器に出力を取り出すための出力端子と、を備えたことを特徴とするヘッドフォンアンプである。
【００１３】
前記一方の信号路及び他方の信号路は、例えばステレオフォンプラグにより夫々一方の入力端子及び他方の入力端子に接続される。前記二種類の信号は例えば夫々予め録音された音源の音声信号及び同期信号であり、前記出力端子は、音声信号を出力するためのものである。
【００１４】
他の発明は、外部から出力される二種類の信号を夫々供給するための一方の外部信号路及び他方の外部信号路が夫々接続される一方の入力端子及び他方の入力端子と、前記一方及び他方の入力端子に夫々接続される一方の内部信号路及び他方の内部信号路と、これら一方及び他方の内部信号路に夫々接続された、ヘッドフォンアンプの音量調整用のボリュームと、を備えたヘッドフォンアンプにおいて、
一方の内部信号路から分岐され、ヘッドフォン以外の外部機器に出力を取り出すための分岐信号路と、
前記分岐信号路に設けられ、バランス信号に変換するためのバランス信号変換部と、
前記バランス信号変換部が接続されている前記一方の内部信号路のインピーダンスとの間で、そのインピーダンスを揃えるために前記他方の内部信号路に接続されたインピーダンス調整用の抵抗成分と、を備えたことを特徴とするヘッドフォンアンプである。
【００１５】
【発明の実施の形態】
本発明の実施の形態について、図１を用いて説明する。図１は本発明の実施の形態に係るヘッドフォンアンプの概略構成図である。ヘッドフォンアンプ１は外部から出力された二種類の信号例えば録音された演奏音とクリック音の信号レベルを夫々調整して後述のヘッドフォンの音量を調整する一方のボリューム１０及び他方のボリューム１１を備えている。前記一方のボリューム１０及び他方のボリューム１１はスイッチ部１２を介して夫々一方の入力端子１３及び他方の入力端子１４に接続され、前記一方の入力端子１３及び他方の入力端子１４は夫々一方の信号路（外部信号路）１５及び他方の信号路（外部信号路）１６を介して一方のチャンネル及び他方のチャンネルを備えたステレオソース１７例えばＣＤ（コンパクトディスク）、ＭＤ（ミニディスク）などに接続される。
【００１６】
また、ヘッドフォンアンプ１は、一方の内部信号路２ａ及び他方の内部信号路２ｂを備えている。一方の内部信号路２ａは一方の入力端子１３から一方のボリューム１０を介して後述の一方の出力端子１９に至るまでの信号路であり、他方の内部信号路２ｂは、他方の入力端子１４から他方のボリューム１１を介して後述の他方の出力端子２０に至るまでの信号路である。なお、以下の説明では便宜上「一方」、「他方」を「Ｌ」、「Ｒ」で表示して記載するものとする。前記スイッチ部１２は、Ｌ内部信号路２ａ及びＲ内部信号路２ｂの中に介在して設けられており、Ｌ入力端子１３をＬボリューム１０に接続し且つＲ入力端子１４をＲボリューム１１に接続する第１の接続状態とＬ入力端子１３をＲボリューム１１に接続し且つＲ入力端子１４をＬボリューム１０に接続する第２の接続状態との間で切り替えるように構成されている。
【００１７】
Ｌボリューム１０及びＲボリューム１１は増幅手段である増幅回路１８を介して夫々Ｌ出力端子１９及びＲ出力端子２０に接続されている。Ｌ出力端子１９にはヘッドフォン２１の一方側の出力部が接続されており、Ｒ出力端子２０にはヘッドフォン２１の他方側の出力部が接続されている。前記Ｌ内部信号路２ａにおけるスイッチ部１２とＬボリューム１０との間から分岐信号路２ｃが分岐され、この分岐信号路２ｃは、バランス信号変換部であるトランス２２を介してバランス出力（外部出力）端子２３が接続されている。前記トランス２２は、二次側にプラス端子、アース端子、マイナス端子が設けられ、図１のトランス２２の下に示すように一次側に入力された電力波形と同波形の電力及びこの波形を反転した波形の電力の両方の信号が出力されるように構成されている。
【００１８】
バランス出力端子２３は、プラス端子、マイナス端子及びアースの三つからなり、ここからバランス信号が図示されないＰＡ設備（音響設備）例えばミキサーへ出力される。また、Ｒ内部信号路２ｂとアース２５との間には、抵抗成分２４が接続されている。Ｌ内部信号路２ａにトランス２２を設けたことにより、このままではＬ内部信号路２ａ及びＲ内部信号路２ｂのインピーダンスが互いに異なってバランスが崩れてしまい、ヘッドフォン２１で聴く音質が低下してしまうので、Ｒ内部信号路２ｂとアース２５との間に抵抗成分２４を接続することにより、インピーダンスのバランスを保っている。従って抵抗成分２４の抵抗値は、トランス２２の一次側のインピーダンスと同等の値例えば６０ｋΩに設定される。
【００１９】
次に上述のヘッドフォンアンプ１の作用について以下（１）、（２）の場合について説明する。
（１）  二つのチャンネルを備えたステレオソース１７のＬチャンネルから例えば演奏音が、Ｒチャンネルから例えばクリック音が夫々Ｌ信号路１５とＲ信号路１６を介してヘッドフォンアンプ１に供給される状態について説明する。
【００２０】
今このスイッチ部１２の接続状態は、Ｌ入力端子１３がＬボリューム１０に接続され且つＲ入力端子１４がＲボリューム１１に接続される第１の接続状態にある。第１の接続状態において前記演奏音は、Ｌボリューム１０を介して増幅回路１８に入力され、ここで増幅されてＬ出力端子１９に接続されているヘッドフォン２１の一方側の出力部に供給される。また、前記クリック音は、Ｒボリューム１１を介して増幅回路１８に入力され、ここで増幅されてＲ出力端子２０に接続されているヘッドフォン２１の他方側の出力部に供給される。そして演奏音はＬボリューム１０により音量が調整されてヘッドフォン２１から放音され、またクリック音はＲボリューム１１により音量が調整されてヘッドフォン２１から放音される。更に前記演奏音は、分岐信号路２ｃを通ってトランス２２でバランス信号に変換され、変換されたバランス信号はバランス出力端子２３から配線を介して図示されないＰＡ設備（音響設備）の一つである例えばスピーカーから演奏音として放音される。
（２）  二つのチャンネルを備えたステレオソース１７のＬチャンネルから例えばクリック音が、Ｒチャンネルから例えば演奏音が夫々Ｌ信号路１５とＲ信号路１６を介してヘッドフォンアンプ１に供給される状態について説明する。
【００２１】
この場合には、スイッチ部１２をＬ入力端子１３がＲボリューム１１に接続され且つＲ入力端子１４はＬボリューム１０に接続される第２の接続状態に切り替える。第２の接続状態においては、前記クリック音は、Ｒボリューム１１に送られ、また、前記演奏音は、Ｌボリューム１０に送られるため、両信号の供給の状態は、スイッチ部１２が第１の接続状態にあったときと同じ状態になる。従って演奏音はＰＡ設備に送られ、また、演奏音及びクリック音の音量は夫々Ｌボリューム１０及びＲボリューム１１で調整される。
【００２２】
図２（ａ）、（ｂ）は夫々上述の上記（１）、（２）のステレオソース１７に備えられた二つのチャンネルとヘッドフォンアンプ１に備えられた二つのボリュームとの接続状態を示す説明図である。
【００２３】
上述の実施の形態によれば、次のような効果がある。例えば音源の録音時の操作ミス等により、演奏音とクリック音とを入力するチャンネルが予め決めておいたチャンネルとは逆のチャンネルに録音してしまった音源を用いた場合においては、ステレオソース１０から出力される演奏音が送られるチャンネルとクリック音が送られるチャンネルが、通常用いるチャンネルに対して入れ替わってしまうが、その場合、スイッチ部１２で第１の接続状態から第２の接続状態へと切り替えることによって、切り替える前のＬボリューム１０及びＲボリューム１１で調整する信号と切り替えた後のＬボリューム１０及びＲボリューム１１で調整する信号は変わらない。即ち演奏者にとっては調整すべき音の種類に対するボリュームの配置の関係が変わらないので、チャンネルが変わったことによる負担はない。またＰＡ設備に伸びる配線について従来のように接続し直す（図５においてＬ出力端子４５とダイレクトボックス４７との間で接続を入れ替える）手間も不用になる。
【００２４】
既述のように前記Ｌ入力端子１３及びＲ入力端子１４は図１では便宜上横に並べて記載してあるが、実際にはＬ信号路１５及びＲ信号路１６は一本のケーブル内に収まっていて、その接続端子は、図３に示すようにステレオプラグであるフォンステレオプラグ３１として構成されており、Ｌ入力端子１３及びＲ入力端子１４はステレオフォン入力端子３２として構成されている。本発明は、このステレオプラグを使用した場合のようにＬ信号路１５及びＲ信号路１６とＬ入力端子１３及びＲ入力端子１４との接続の入れ替えができないときには、特に有効であるが、入力側の信号路の接続を入れ替えることができる場合においても適用することができ、スイッチ部１２の操作により接続を入れ替える手間が省けるという効果がある。
【００２５】
ここで図３は、図１に示すヘッドフォンアンプ１の外観を示す図であり、３０はケース体である。図３において手前側を正面とすると、例えばＬボリューム１０及びＲボリューム１１は側面に設けられ、スイッチ部１２の操作部１２ａは裏面側に設けられている。なお、この例では、自己の楽器の音を伝送する信号線と、予め録音した音源のうち演奏音を伝送する信号線とを夫々接続するためのＬフォン入力端子３３及びＲフォン入力端子３４が設けられており、両信号線をＬフォン入力端子３３及びＲフォン入力端子３４に夫々接続したときに、操作部１２ａを操作して前記Ｌフォン入力端子３３及びＲフォン入力端子３４とＬ内部信号路２ａ及びＲ内部信号路２ｂとの接続を切り替えて、自己の演奏音と音源の演奏音とを選択して外部のＰＡ設備に取り出せるようになっている。ステレオフォン入力端子３２を用いるかＬフォン入力端子３３及びＲフォン入力端子３４を用いるかは図示しないスイッチにより選択できるようになっている。
【００２６】
ここで、ステレオフォン入力端子３２とＬフォン入力端子３３及びＲフォン入力端子３４との接続関係の一例について図４を用いて説明する。この例ではこれら入力端子３２、３３及び３４はスイッチジャックが用いられる。スイッチジャックは２つの接点である第１接点及び第２接点を備え、入力端子が差し込まれたときには両接点が離れ、入力端子を抜いたときには両接点が接触するものである。図４の例ではステレオフォン入力端子３２をなすＬ入力端子１３及びＲ入力端子１４において、Ｌ入力端子１３の第１接点ａ１がＬフォン入力端子３３の第２接点ｂ２に接続され、Ｌ入力端子１３の第２接点ａ２がＲフォン入力端子３４の第１接点ｃ１に接続されている。またＲ入力端子１４の第１接点ａ３がＲフォン入力端子３４の第２接点ｃ２に接続され、Ｒ入力端子１４の第２接点ａ４がＬフォン入力端子３３の第１接点ｂ１に接続されている。
【００２７】
従ってＬフォン入力端子３３及びＲフォン入力端子３４に夫々Ｌフォンプラグ及びＲフォンプラグが差し込まれない状態でフォンステレオプラグ３１をステレオフォン入力端子３２に差し込むと、第１接点ａ１に入力された信号がＬフォン入力端子３３の接点ｂ２、ｂ１を介して一方の入力信号Ａ２として取り込まれ、また第１接点ａ３に入力された信号がＲフォン入力端子３４の接点ｃ２、ｃ１を介して他方の入力信号Ａ１として取り込まれる。
【００２８】
次にＬフォン入力端子３３及びＲフォン入力端子３４に図示されないＬフォンプラグ及びＲフォンプラグを夫々差し込むと、Ｌフォン入力端子３３では、外部から一方の信号がｂ１を介して一方の入力信号Ａ２として取り込まれ、Ｒフォン入力端子３４では他方の信号が接点ｃ１を介して他方の入力信号Ａ１として取り込まれる。また、Ｌフォンプラグ若しくはＲフォンプラグのどちらか一方を単独で差し込んだ状態では、例えばＬフォンプラグをＬフォン入力端子３３に差し込んだ状態では、モノラルとして入力信号Ａ１、Ａ２として取り込まれる。ここで、入力信号Ａ１及び入力信号Ａ２は図１に記載した内部信号路２ａ及び２ｂに入力される。また、フォンステレオプラグ３１と図示されないＬフォンプラグ及びＲフォンプラグとが同時に差し込まれた状態では、図示されないＬフォンプラグ及びＲフォンプラグから入力される信号が優先して取り込まれる。
【００２９】
【発明の効果】
以上のように本発明によれば、外部から出力される二種類の信号が夫々入れ替わったとしても、配線の差し替えを行わず簡単に二つの信号を切り替えることができる。また、二つの信号の音量ボリュームの位置関係が変わらないので、使用者例えば演奏者が混乱する虞がない。
【００３０】
更に他の発明によれば、一方の信号をバランス出力として取り出すためのバランス信号変換部を設けても、他方の信号の内部信号路に抵抗成分を設けて両方の内部信号路のインピーダンスのバランスをとっているので、ヘッドフォンから聴こえる音の音質が低下しない。
【図面の簡単な説明】
【図１】本発明のヘッドフォンアンプを示す概略構成図である。
【図２】本発明のヘッドフォンアンプの接続状態を示す説明図である。
【図３】本発明のヘッドフォンアンプを示す概略斜視図である。
【図４】本発明のヘッドフォンアンプの入力端子を示す説明図である。
【図５】従来のヘッドフォンアンプを示す概略構成図である。
【符号の説明】
１    ヘッドフォンアンプ
１０  Ｌボリューム
１１  Ｒボリューム
１２  スイッチ部
１３  Ｌ入力端子
１４  Ｒ入力端子
１５  Ｌ信号路
１６  Ｒ信号路
１７  ステレオソース
１８  増幅回路
１９  Ｌ出力端子
２０  Ｒ出力端子
２１  ヘッドフォン
２２  トランス
２３  バランス出力端子
２４  抵抗成分
２５  アース
【図１】
2004312296.tif 000003
【図２】
2004312296.tif 000004
【図３】
2004312296.tif 000005
【図４】
2004312296.tif 000006
【図５】
2004312296.tif 000007
【手続補正書】
【提出日】平成15年4月14日(2003.4.14)
【手続補正１】
【補正対象書類名】図面
【補正対象項目名】全図
【補正方法】変更
【補正の内容】
【図１】
2004312296.tif 000008
【図２】
2004312296.tif 000009
【図３】
2004312296.tif 000010
【図４】
2004312296.tif 000011
【図５】
2004312296.tif 000012